(57)【要約】【課題】この発明は、自動販売機が販売する商品の選択購入、販売促進、宣伝効果、注目度等を高めることができる発光型見本の提供を目的とする。【解決手段】発光型見本の一例である幅広型見本１を自動販売機Ａの見本陳列部Ａａに対し正面向きに設置し、光源Ｃから投光される光を幅広型見本１の裏面側に照光する。光源Ｃから投光される光は、見本体２、張出し部３、見本部４Ａ，４Ｂのいずれか一つ又は複数の表面に形成された丸孔８・長孔９から前方に向けて放射状に出光される。その出光される光によって、幅広型見本１の全体或いは見本部４Ａ，４Ｂが光り輝くことになる。つまり、幅広型見本１或いは見本部４Ａ，４Ｂが目立つことになり、人の注目を引くことができるので、見本部４Ａ，４Ｂと対応する注目度の高い商品が積極的に選択及び購入されやすく、商品の販売促進、売上向上を図ることができる。【選択図】図４
2010282406.tif 000002
【特許請求の範囲】
【請求項１】
自動販売機の見本陳列部に設置される見本体の表面に、該自動販売機が販売する商品を前後に２つ割りしてなる縦断半割り形状の見本部が形成された幅広型の見本であって、
前記見本体の表面及び／又は前記見本部の表面に、前記見本体の裏面側に向けて光源から投光される光を該見本体の前方に向けて出光する透光部が設けられた
発光型見本。
【請求項２】
前記透光部が、前記見本部の周囲又は該見本部の輪郭に沿って設けられた
請求項１に記載の発光型見本。
【請求項３】
前記透光部が、前記見本体及び／又は前記見本部に印刷された表示内容の周囲又は該表示内容の上に設けられた
請求項１に記載の発光型見本。
【請求項４】
前記透光部が、前記見本体及び／又は前記見本部に対し厚み方向に貫通してなる孔部で構成された
請求項１〜３のいずれか一つに記載の発光型見本。
【請求項５】
前記透光部が、前記見本体及び／又は前記見本部の透明に形成された部分に対し印刷パターンを白抜き印刷してなる孔部で構成された
請求項１〜３のいずれか一つに記載の発光型見本。
【請求項６】
前記透光部の出光側に、該透光部から出光される光を偏光するレンズが設けられた
請求項１〜５のいずれか一つに記載の発光型見本。
【発明の詳細な説明】
【技術分野】
【０００１】
この発明は、例えば缶型、瓶型、ボトル型、箱型、袋型等の商品を販売する自動販売機において、該商品の選択購入、販売促進、宣伝広告、注目度等を高めるために用いられる発光型見本に関する。
【背景技術】
【０００２】
従来、前記商品の見本を陳列する商品見本体としては、例えば自動販売機の装着台に取り付けられる本体の表面に、半割状の商品見本部と宣伝広告表示部を備えた特許文献１の自動販売機用商品見本体がある。しかし、本体及び商品見本部の表面には、商品と対応する表示内容或いは販売を促進する宣伝広告が印刷されているだけであり、他の商品見本より目立つような工夫がなされていない。そこで、特定の商品と対応する商品見本に、例えば販売促進用のラベルやシール等を取り付けて目立つように陳列していたが、平面的な視覚効果しか得られないため、購入者の注目を引くことが難しい。
【先行技術文献】
【特許文献】
【０００３】
【特許文献１】特開２００６−２０９３０７
【発明の概要】
【発明が解決しようとする課題】
【０００４】
この発明は、自動販売機が販売する商品の選択購入、販売促進、宣伝効果、注目度等を高めることができる発光型見本を提供することを目的とする。
【課題を解決するための手段】
【０００５】
この発明は、自動販売機の見本陳列部に設置される見本体の表面に、該自動販売機が販売する商品を前後に２つ割りしてなる縦断半割り形状の見本部が形成された幅広型の見本であって、前記見本体の表面及び／又は前記見本部の表面に、該見本体の裏面側に向けて光源から投光される光を該見本体の前方に向けて出光する透光部が設けられた発光型見本であることを特徴とする。
【０００６】
この発明の態様として、前記透光部を、前記見本部の周囲又は該見本部の輪郭に沿って設けることができる。
【０００７】
また、この発明の態様として、前記透光部を、前記見本体及び／又は前記見本部に印刷された表示内容の周囲又は該表示内容の上に設けることができる。
【０００８】
また、この発明の態様として、前記透光部を、前記見本体及び／又は前記見本部に対し厚み方向に貫通してなる孔部で構成することができる。
【０００９】
また、この発明の態様として、前記透光部を、前記見本体及び／又は前記見本部の透明に形成された部分に対し印刷パターンを白抜き印刷してなる孔部で構成することができる。
【００１０】
また、この発明の態様として、前記透光部の出光側に、該透光部から出光される光を偏光するレンズを設けることができる。
【００１１】
前記発光型見本は、例えば同一の形状或いは異なる形状の見本部が複数配置された幅広型の見本で構成され、例えば真空成形、加圧成形、ブロー成形、押出し成形等の成形方法で製作することができる。
【００１２】
見本体は、例えばポリアセタール、ポリプロピレン、ポリエチレン、ポリエステル、ポリカーボネード、アクリル等の透光性を有するプラスチック、或いは、透明なプラスチック、所望する着色された半透明なプラスチックで形成することができる。
【００１３】
見本部は、自動販売機が販売する商品の一例として、例えば缶型、瓶型、ボトル型、箱型等の商品を前後に２つ割りしてなる形状と酷似する外観及び意匠に形成された縦断半割り形状(例えば半円筒形状、半矩形状等)に構成することができる。
【００１４】
透光部は、例えば丸形、楕円形、菱形、星形、ハート形、花形、雲形、卵形、或いは、正方形、矩形、三角形、五角形、六角形等の形状を有する孔部、或いは、弧形、波形、直線形、三角形等の形状を有する長尺の孔部、或いは、透明なプラスチック製シートからなる見本体及び見本部の裏面側に印刷パターンを印刷する際に、白抜き印刷にて形成される丸孔や長孔等の孔部で構成することができる。
【００１５】
なお、孔部は、実施例におけるドット状の丸孔、スリット状の長孔等で構成されている。また、異なる形状の孔部を複数組み合わせてもよい。
【００１６】
光源は、例えば蛍光灯、白熱灯、発光素子、或いは、見本の裏面側に向けて外光を反射する反射装置等の照明で構成することができる。
【発明の効果】
【００１７】
この発明によれば、自動販売機の見本陳列部内に設けられた光源から投光される光が、発光型見本の見本体及び／又は見本部に形成された透光部から前方に向けて出光されるので、その出光される光によって、発光型見本或いは見本部が光り輝くことになる。これにより、発光型見本或いは見本部が目立つことになり、自動販売機に近づく人や商品を購入しようとする人、或いは、遠方にいる人の注目を引くことができ、注目度の高い商品が積極的に選択及び購入されやすく、商品の販売促進、売上向上を図ることができる。
【図面の簡単な説明】
【００１８】
【図１】発光型の幅広型見本が設置された自動販売機を示す正面図。
【図２】見本体及び張出し部に丸孔・長孔が形成された幅広型見本を示す斜視図。
【図３】見本体及び張出し部に丸孔・長孔が形成された幅広型見本及びその設置構造を示す正面図。
【図４】幅広型見本の発光状態及び設置状態を示す中央縦断側面図。
【図５】見本体及び張出し部の丸孔・長孔が形成された部分を示す拡大縦断側面図。
【図６】同一形状の見本部に丸孔・長孔が形成された幅広型見本の他の例を示す正面図。
【図７】図６の見本部の丸孔が形成された部分を示す拡大横断端面図。
【図８】図６の幅広型見本の発光状態及び設置状態を示す中央縦断側面図。
【図９】見本部の輪郭に沿って丸孔・長孔が形成された幅広型見本の他の例を示す正面図。
【図１０】見本体及び異なる形状の見本部に丸孔・長孔が形成された幅広型見本の他の例を示す斜視図。
【図１１】丸孔・長孔の出光側に凸レンズが形成された他の例を示す拡大縦断側面図。
【図１２】丸孔・長孔が白抜き印刷方法にて形成された幅広型見本の他の例を示す拡大縦断側面図。
【図１３】表示内容の周囲に丸孔・長孔が形成された幅広型見本の他の例を示す正面図。
【図１４】表示内容が丸孔・長孔で形成された幅広型見本の他の例を示す正面図。
【発明を実施するための形態】
【実施例】
【００１９】
図１は、発光型の幅広型見本１が設置された自動販売機Ａを示す正面図、図２は、見本体２及び張出し部３に丸孔８・長孔９が形成された幅広型見本１を示す斜視図、図３は、見本体２及び張出し部３に丸孔８・長孔９が形成された幅広型見本１及びその設置構造を示す正面図、図４は、幅広型見本１の発光状態及び設置状態を示す中央縦断側面図、図５は、見本体２及び張出し部３の丸孔８・長孔９が形成された部分を示す拡大縦断側面図である。
【００２０】
実施例の幅広型見本１は、図１、図３、図４に示すように、自動販売機Ａの前面に設けられた見本陳列部Ａａ内に設置され、該自動販売機Ａが販売する商品の選択購入、販売促進、宣伝効果、注目度等を高める際に用いられるものである。  
また、見本陳列部Ａａの陳列パネルＡｂには、平面から見て丸形状の開口部Ａｃが所定間隔に隔てて複数形成されている。また、陳列パネルＡｂの下方には、蛍光灯や発光素子からなる光源Ｃが開口部Ａｃと対向して配設されている。
【００２１】
幅広型見本１は、後述する見本体２が、透光性を有するプラスチック製シートを用いて図示しない真空成形装置によって真空成形されている。また、見本体２の裏面側には、商品の販売イメージと対応する印刷パターン２ａ（例えば商標、文字、模様、図柄、色彩等）が印刷されている。
【００２２】
見本体２は、図２〜図４に示すように、見本陳列部Ａａの陳列パネルＡｂ上に設置される３個の見本Ｂを並列配置してなる横幅より幅広で、４個の見本Ｂを並列配置してなる横幅より幅狭に形成され、該陳列パネルＡｂ上に設置が許容される奥行及び高さに形成されている。  
また、見本体２の中央表面には、商品の販売イメージと対応する自然の風景を模した山形の張出し部３が該見本体２の表面より前方へ張り出すように形成されている。
【００２３】
張出し部３の表面には、自動販売機Ａが販売する缶型の商品と酷似する外観及び意匠に形成され、該商品を前後に２つ割りしてなる縦断半割り形状の見本部４Ａが３個形成されている。  
また、見本部４Ａは、張出し部３の表面より前方へ張り出すように形成され、見本の一例である缶型の商品の前側半分と対応する曲率半径でもって半円筒形状に形成されている。
【００２４】
見本部４Ａの裏面側には、自動販売機Ａが販売する缶型の商品に印刷された表示内容と同一か、或いは、該表示内容と酷似する内容（例えば商標、文字、模様、図柄、色彩等）の印刷パターン２ａが印刷されている。また、商品と対応する表示内容の印刷パターン２ａを印刷する代わりに、表示内容が印刷された表示ラベルを貼着してもよい。
【００２５】
前記張出し部３の下部表面には、該見本体２と同一幅の台座部５が幅方向に形成されている。また、台座部５は、陳列パネルＡｂ上に設置が許容される前後幅に形成され、見本部４Ａの表面より前方へ張り出した状態に形成されている。
【００２６】
台座部５の中央下面には、図３、図４に示すように、陳列パネルＡｂの陳列面に開口された平面視丸形状の開口部Ａｃに対し係合される横断面視半円形状の第１挿入部６が形成されている。また、第１挿入部６を中心とする台座部５の左右下面には、第１挿入部６が係合される開口部Ａｃの左右に開口された開口部Ａｃに対し係合される横断面視台形状の第２挿入部７が形成されている。
【００２７】
第１挿入部６の下端部外周面には、開口部Ａｃの下面側周縁部に係止される凸状の鍔部６ａが周方向に連続して形成されている。また、鍔部６ａより上方の外周面には、開口部Ａｃの前側周縁部が係止される凹状の溝部６ｂが周方向に連続して形成されている。
【００２８】
第１挿入部６の前側外周面には、開口部Ａｃの前側周縁部に形成された凹状の切欠き部Ａｄに係止される凸状の突起６ｃが形成されている。また、第１挿入部６の両側外周面には、開口部Ａｃの両側周縁部に形成された凹状の切欠き部Ａｅに係止される凸状の突起６ｄが形成されている。
【００２９】
つまり、見本体２の第１挿入部６を陳列パネルＡｂの開口部Ａｃに上方から挿入し、左右の第２挿入部７を左右の開口部Ａｃにそれぞれ挿入する。また、第１挿入部６の鍔部６ａを開口部Ａｃの周縁部に係止し、第１挿入部６の溝部６ｂを開口部Ａｃの周縁部に係止して抜止めする。また、第１挿入部６の突起６ｃ，６ｄと開口部Ａｃの切欠き部Ａｄ，Ａｅを合致して位置決めする。  
これにより、幅広型見本１が、自動販売機Ａの前面と対応して見本体２の表面が正面向きとなるように、見本陳列部Ａａ内の陳列パネルＡｂ上に対し略鉛直に起立した状態に設置固定される。
【００３０】
前記見本体２及び張出し部３の上側表面には、光源Ｃから投光される光を、該見本体２及び張出し部３の表面側から前方に向けて出光するドット状の丸孔８とスリット状の長孔９が形成されている。
【００３１】
丸孔８及び長孔９は、見本体２及び張出し部３に対し厚み方向に貫通して形成されており、光源Ｃから投光される光が、丸孔８・長孔９の出光側（見本体２の表面側）から前方に向けて放射状に出光される大きさ（孔径、孔幅）に形成されている。
【００３２】
見本体２の張出し部３より上側表面には、同一孔径の丸孔８が、張出し部３の上縁部に沿って所定間隔に隔てて多数配列されている。  
張出し部３の見本部４Ａより上側表面には、同一孔径の丸孔８が、正面から見て弧状となるように張出し部３の表面に沿って幅方向に配列されている。
【００３３】
弧状に配列された丸孔８の下側表面には、長孔９が、正面から見て弧状となるように張出し部３の表面に沿って幅方向に形成されている。また、長孔９の全長は、一端から他端に向けて同一の孔幅に形成されている。
【００３４】
なお、丸孔８の代わりに、長孔９を、張出し部３の上縁部に沿って形成するか、丸孔８及び長孔９の両方を、張出し部３の上縁部に沿って形成する等してもよい。  
また、丸孔８及び長孔９のいずれか一方を、張出し部３の見本部４Ａより上側表面に沿って形成してもよい。
【００３５】
見本体２及び張出し部３の裏面側には、見本部４Ａを除いて、商品の販売イメージと対応する表示内容の印刷パターン２ａが印刷されている。  
印刷パターン２ａの表示内容は、例えば商標、文字、模様、図柄等、或いは、キャッチコピー、メッセージなどの宣伝広告文、或いは、茶葉、茶畑、花、樹木等の植物、或いは、空や海、山、川等の自然、或いは、犬や猫、鳥等の動物等で構成されている。
【００３６】
次に、前記自動販売機Ａの見本陳列部Ａａに、前記丸孔８・長孔９が形成された幅広型見本１を設置した際の作用及び効果を説明する。
【００３７】
先ず、幅広型見本１を、自動販売機Ａの前面と対応して見本体２の表面が正面向きとなるように、見本陳列部Ａａの陳列パネルＡｂ上に対し略鉛直に起立した状態に設置固定する（図１、図３、図４参照）。
【００３８】
つまり、自動販売機Ａの図示しない主電源をＯＮ操作して、見本陳列部Ａａの陳列パネルＡｂの下方に配設された光源Ｃを点灯した際に、光源Ｃから投光される光が幅広型見本１の裏面側に照射され、幅広型見本１の全体が略均等に照光される。
【００３９】
このとき、光源Ｃから投光される一部の光が、見本体２及び張出し部３の上側表面に形成された丸孔８・長孔９に導光される。また、丸孔８・長孔９を通り抜けた光が、丸孔８・長孔９の出光側から前方に向けて放射状に出光される（図４、図５参照）。
【００４０】
つまり、丸孔８・長孔９から出光される光によって、幅広型見本１の全体或いは見本部４Ａが光り輝くので、見本陳列部Ａａに陳列された他の見本Ｂに比べて、幅広型見本１或いは見本部４Ａの方が目立つことになる。  
これにより、幅広型見本１或いは見本部４Ａに、自動販売機Ａに近づく人や商品を購入しようとする人、或いは、遠方にいる人の注目を引くことができ、見本部４Ａと対応する注目度の高い商品が積極的に選択及び購入されやすく、商品の販売促進、売上向上を図ることができる。
【００４１】
また、丸孔８・長孔９から出光される光によって、幅広型見本１或いは見本部４Ａを光り輝かせることができるので、幅広型見本１或いは見本部４Ａの全体を明るく照光する必要がなく、自動販売機Ａの消費電力を抑えて、省エネルギー化及び維持費の低減を図ることができる。
【００４２】
図６は、同一形状の見本部４Ａに丸孔８・長孔９が形成された幅広型見本１の他の例を示す正面図、図７は、図６の見本部４Ａの丸孔８が形成された部分を示す拡大横断端面図、図８は、図６の幅広型見本１の発光状態及び設置状態を示す中央縦断側面図である。
【００４３】
本例の幅広型見本１は、前記丸孔８が、中央見本部４Ａの下側表面と、左右見本部４Ａの上側表面に形成されている。また、前記長孔９が、中央見本部４Ａの上側表面と、左右見本部４Ａの下側表面に対し波状に形成されている。
【００４４】
つまり、光源Ｃから投光される光が、見本部４Ａの上下表面に形成された丸孔８・長孔９を通り抜けて、丸孔８・長孔９の出光側から前方に向けて放射状に出光されるので、前記実施例と略同等の作用及び効果を奏することができる。  
なお、丸孔８・長孔９のいずれか一方を、見本部４Ａの上側表面又は下側表面又は表面全体に形成してもよい。
【００４５】
図９は、見本部４Ａの周囲又は輪郭に沿って丸孔８・長孔９が形成された幅広型見本１の他の例を示す正面図である。
【００４６】
本例の幅広型見本１は、見本部４Ａの下側縁部及び両側縁部からなる輪郭に沿って前記丸孔８が形成されている。また、見本部４Ａの上側縁部からなる輪郭に沿って前記長孔９が形成されている。
【００４７】
つまり、光源Ｃから投光される光が、見本部４Ａの周囲又は輪郭に沿って形成された丸孔８・長孔９を通り抜けて、丸孔８・長孔９の出光側から前方に向けて放射状に出光されるので、前記実施例と略同等の作用及び効果を奏することができる。
【００４８】
なお、丸孔８・長孔９のいずれか一方を、見本部４Ａの輪郭に沿って全周に形成してもよい。また、丸孔８・長孔９の両方又はいずれか一方を、見本体２或いは後述する見本部４Ｂの輪郭に沿って形成してもよい。
【００４９】
図１０は、見本体２及び見本部４Ａ，４Ｂの表面に丸孔８・長孔９が形成された幅広型見本１の他の例を示す斜視図である。
【００５０】
本例の幅広型見本１は、前記張出し部３が形成されておらず、該見本体２の略フラットに形成された表面に、半円筒形状の見本部４Ａと半矩形状の見本部４Ｂが形成されている。
【００５１】
見本体２は、２個の見本Ｂを並列配置してなる横幅より幅広に形成されている。また、正面から見て見本体２の右側表面には、半円筒形状の見本部４Ａが形成されている。また、見本体２の左側表面には、半矩形状の見本部４Ｂが形成されている。  
さらに、見本体２の上側表面及び見本部４Ａ，４Ｂの上下表面には、前記丸孔８・長孔９が形成されている。
【００５２】
つまり、光源Ｃから投光される光が、見本体２及び見本部４Ａ，４Ｂの表面に形成された丸孔８・長孔９を通り抜けて、丸孔８・長孔９の出光側から前方に向けて放射状に出光されるので、前記実施例と略同等の作用及び効果を奏することができる。
【００５３】
なお、丸孔８・長孔９を、見本体２、見本部４Ａ、見本部４Ｂのいずれか一つ又は複数の表面に形成するか、丸孔８・長孔９のいずれか一方を、見本体２、見本部４Ａ、見本部４Ｂのいずれか一つ又は複数又は全ての表面に形成してもよい。
【００５４】
図１１は、図２又は図１０の見本体２に形成された丸孔８・長孔９の出光側に、側面から見て断面が滑らかな半球形状の凸レンズ１０が設けられた幅広型見本１の他の例を示す拡大縦断側面図である。
【００５５】
本例の幅広型見本１は、前記丸孔８より大径の凸レンズ１０が、前記見本体２の丸孔８の出光側に形成されている。また、前記長孔９の孔幅より幅広の凸レンズ１０が、前記見本体２の長孔９に沿って該長孔９の出光側に形成されている。また、凸レンズ１０は、透明なプラスチックで形成されている。
【００５６】
つまり、光源Ｃから投光される光を見本体２の裏面側に照射した際、見本体２に形成された丸孔８・長孔９から出光される光が、出光側の凸レンズ１０によって偏光されるとともに、丸孔８・長孔９の出光側から前方に向けて放射状に出光されるので、前記実施例と略同等の作用及び効果を奏することができる。
【００５７】
なお、凸レンズ１０を、張出し部３、見本部４Ａ、見本部４Ｂのいずれか一つに形成された丸孔８・長孔９の出光側に設けてもよい。また、見本体２、張出し部３、見本部４Ａ、見本部４Ｂの複数又は全てに形成された丸孔８・長孔９の出光側に設けてもよい。
【００５８】
図１２は、前記見本体２の裏面側に、光源Ｃから投光される光を通すための丸孔２ｂ・長孔２ｃが白抜き印刷方法にて形成された幅広型見本１の他の例を示す拡大縦断側面図である。
【００５９】
本例の幅広型見本１は、透明なプラスチック製シートで見本体２が形成されている。また、該見本体２の前記丸孔８・長孔９に相当する裏面部分には、後述する白抜き印刷方法によって光源Ｃから投光される光を通すための丸孔２ｂ・長孔２ｃが形成されている。
【００６０】
前記丸孔２ｂ・長孔２ｃは、染色や印刷にて模様・図柄・文字を表す際に用いられる白抜き印刷方法によって、見本体２の裏面側に印刷パターン２ａを印刷する際、該丸孔２ｂ・長孔２ｃと対応する裏面部分にパターン印刷せず、残りの裏面部分のみにパターン印刷或いは着色する等して形成されている。また、見本体２は、透明なプラスチック製シートで光の透過が許容される厚みに形成されている。
【００６１】
つまり、光源Ｃから投光される光が、見本体２の裏面側に白抜き印刷された印刷パターン２ａの丸孔２ｂ・長孔２ｃを通り抜けるとともに、透明なプラスチック製シートからなる見本体２を透過して、丸孔２ｂ・長孔２ｃの出光側から前方に向けて放射状に出光されるので、前記実施例と略同等の作用及び効果を奏することができる。
【００６２】
また、見本体２の表面に、前記丸孔８・長孔９を加工する必要がないので、加工に要する手間及び作業が省けるだけでなく、製作コストの低減を図ることができ、安価に製作することができる。  
なお、丸孔２ｂ・長孔２ｃを、張出し部３、見本部４Ａ、見本部４Ｂのいずれか一つの裏面部分に形成するか、見本体２、張出し部３、見本部４Ａ、見本部４Ｂの複数又は全ての裏面部分に形成してもよい。また、丸孔２ｂ・長孔２ｃのいずれか一方を、見本体２、張出し部３、見本部４Ａ、見本部４Ｂのいずれか一つ又は複数又は全ての裏面部分に形成してもよい。
【００６３】
図１３は、見本体２に印刷された表示内容Ｄの周囲に丸孔８・長孔９が形成された幅広型見本１の他の例を示す正面図である。
【００６４】
本例の幅広型見本１は、前記張出し部３が形成されておらず、該見本体２の略フラットに形成された見本部４Ａより上側裏面に、表示内容Ｄの一例である「新発売」が印刷されている。また、丸孔８が、表示内容Ｄの輪郭に沿って所定間隔に隔てて多数配列されている。また、三角形状の長孔９が、表示内容Ｄの周囲に所定間隔に隔てて複数配列されている。
【００６５】
つまり、光源Ｃから投光される光が、表示内容Ｄの周囲に形成された丸孔８・長孔９から前方に向けて放射状に出光されるので、表示内容Ｄが光り輝くことになる。これにより、表示内容Ｄが目立つことになり、人の注目を引くことができるので、前記実施例と略同等の作用及び効果を奏することができる。
【００６６】
なお、丸孔８・長孔９のいずれか一方を、見本体２に印刷された表示内容Ｄの周囲に設けるか、丸孔８・長孔９のいずれか一方又は両方を、見本部４Ａ，４Ｂに印刷された表示内容Ｄの周囲に設けてもよい。
【００６７】
図１４は、見本体２に印刷された表示内容Ｄが丸孔８・長孔９で形成された幅広型見本１の他の例を示す正面図である。
【００６８】
本例の幅広型見本１は、丸孔８が、見本体２に印刷された表示内容Ｄの上に所定間隔に隔てて多数配列されている。また、長孔９が、表示内容Ｄの陰影側に当たる輪郭に沿って形成されている。
【００６９】
つまり、光源Ｃから投光される光が、表示内容Ｄの文字上に形成された丸孔８と、表示内容Ｄの輪郭に沿って形成された長孔９から前方に向けて放射状に出光されるので、表示内容Ｄ自体が光り輝くことになる。これにより、表示内容Ｄが目立つことになり、人の注目を引くことができるので、前記実施例と略同等の作用及び効果を奏することができる。
【００７０】
なお、丸孔８・長孔９のいずれか一方を表示内容Ｄの上に形成してもよい。また、丸孔８・長孔９のいずれか一方又は両方を、見本部４Ａ，４Ｂに印刷された表示内容Ｄの上に形成してもよい。
【００７１】
この発明の構成と、前記実施形態との対応において、  
この発明の発光型見本は、実施例の幅広型見本１に対応し、  
以下同様に、  
透光部及び孔部は、丸孔８及び長孔９と、丸孔２ｂ及び長孔２ｃに対応するも、  
この発明は、上述の実施形態の構成のみに限定されるものではなく、請求項に示される技術思想に基づいて応用することができ、多くの実施の形態を得ることができる。
【００７２】
なお、見本陳列部Ａａに設置された幅広型見本１の裏面側に、該幅広型見本１の後方に配設された光源Ｃから投光される光を照射してもよい。
【００７３】
また、丸孔２ｂ，８の代わりに、例えば楕円形、菱形、星形、ハート形、花形、雲形、卵形、或いは、正方形、矩形、三角形、五角形、六角形等の形状を有する孔部を設けてもよい。
【００７４】
また、一部又は全ての丸孔８を、異なる孔径及び／又は形状に形成するか、長孔９の一部又は全長を、一端から他端に至る全長において異なる孔幅に形成してもよい。
【００７５】
本発明の幅広型見本１の構成は、自動販売機Ａが販売する商品Ｂと酷似する外観及び意匠に形成された独立した見本にも適用することができ、実施例の幅広型見本１のみに用途が限定されるものではない。
【符号の説明】
【００７６】
Ａ…自動販売機
Ａａ…見本陳列部
Ａｂ…陳列パネル
Ａｃ…開口部
Ｃ…光源
Ｄ…表示内容
１…幅広型見本
２…見本体
２ａ…印刷パターン
２ｂ…丸孔
２ｃ…長孔
３…張出し部
４Ａ，４Ｂ…見本部
５…台座部
６…第１挿入部
７…第２挿入部
８…丸孔
９…長孔
１０…凸レンズ
【図１】
2010282406.tif 000003
【図２】
2010282406.tif 000004
【図３】
2010282406.tif 000005
【図４】
2010282406.tif 000006
【図５】
2010282406.tif 000007
【図６】
2010282406.tif 000008
【図７】
2010282406.tif 000009
【図８】
2010282406.tif 000010
【図９】
2010282406.tif 000011
【図１０】
2010282406.tif 000012
【図１１】
2010282406.tif 000013
【図１２】
2010282406.tif 000014
【図１３】
2010282406.tif 000015
【図１４】
2010282406.tif 000016